(57)【要約】【課題】トラックに積載した荷物にロープ掛けする際にロープフックに掛けたロープ輪状部がロープフックから外れないようにする。【解決手段】ロープフックに掛けたロープ輪状部を下側から支持した状態でロープフックに掛ける穴付き支持片と、該穴付き支持片を紐で吊り下げた状態であおりに磁石で仮止めする仮止め具とから構成する。仮止め具は片面に把手を取り付けた板状体と、磁石を内包する２式の直方体状の磁石保持体とで構成し、磁石保持体を板状体における把手とは反対面にロープを通す間隔を隔てて平行に取り付け、紐の仮止め具側端を把手に固定する。【選択図】図２
2011102045.tif 000002
【特許請求の範囲】
【請求項１】
トラックの荷台側縁下部に設けられたロープフックに掛けたロープ輪状部がロープフックから外れないようにロープをあおりに仮止めしておくロープ仮止め具であって、
ロープフックに掛けた前記ロープ輪状部を下側から支持した状態でロープフックに掛けられる穴付き支持片と、該穴付き支持片を紐で吊り下げた状態であおりに磁石で仮止めされる仮止め具とからなり、
該仮止め具は片面に把手を取り付けた板状体と、磁石を内包する２式の直方体状の磁石保持体とからなり、該磁石保持体は前記板状体における前記把手とは反対面に前記ロープを通す間隔を隔てて平行に取り付けてあり、前記紐の仮止め具側端が前記把手又は板状体に固定してあることを特徴とするロープ仮止め具。
【請求項２】
請求項１に記載のロープ仮止め具において、前記板状体における２式の磁石保持体の間には、その間に通したロープをあおりに押し付けるためのばねで付勢された押し付け板が更に取り付けてあることを特徴とするロープ仮止め具。
【請求項３】
請求項１又は２に記載のロープ仮止め具において、前記板状体には、該板状体をあおりに仮止めした状態で上部となる端面部に二股状フックが水平軸周りに傾動可能に取り付けてあることを特徴とするロープ仮止め具。
【請求項４】
請求項１乃至３の何れかに記載のロープ仮止め具において、前記紐として弾性を有する紐又はコイルばねを使用したことを特徴とするロープ仮止め具。
【発明の詳細な説明】
【技術分野】
【０００１】
本発明は、トラックに積載した荷物にロープを掛けて荷締めする際に、ロープフックに引っ掛けたロープ輪状部がロープフックから外れないように仮止めしておくロープ仮止め具に関する。
【背景技術】
【０００２】
トラック荷台に積荷を固定する方法としてロープによる固定法が多用されている。この積荷へのロープ掛けは、ロープ一端に設けた輪状部を荷台側縁下部に設けられたロープフックに嵌めた状態で積荷の上を通ってロープを荷台反対側に掛け渡し、ロープ他端を荷台反対側のロープフックに巻き掛け、荷締め機を使用して積荷を荷台に締め付け固定する作業である。
【０００３】
通常、このロープ掛け作業は一人で行なわれ、作業者はロープの一端に設けられた輪状部をトラック片側のロープフックに嵌めた状態で他端側を荷台反対側に放り投げてから荷台反対側に回る。ところが、ロープフックの多くは荷台側縁下部から垂直下方へ伸びてからやや車内側方向に湾曲して伸びる単純な形状になっている。このため作業者が荷台反対側に回っている間にロープが少し下方にずれただけで輪状部がロープフックから外れてしまう。外れを防ぐには輪状部を紐でロープフックに縛っておけばよいが縛ったり解いたりするのは面倒である。
【０００４】
こうした問題の解決策としてロープをあおり側面に仮止めしておく器具が提案されている（特許文献１参照）。この仮止め具は図９に示すように、トラックのあおり側面に磁着させる磁着体９０とその磁着体９０を抱持する抱持体９１とからなる。磁着体９０は磁石９２とその磁石９２を包む磁石カバー９３とからなり、磁石カバー９３のあおり当接面にはロープを通す固定溝９４が設けられ、その固定溝９４の両側に磁石９２が配してある。一方、抱持体９１は手指の形に模して形成されている。使用する際はロープ輪状部をトラック荷台のロープ係止用突起に係止させ、ロープをあおり側面に沿って持ち上げ、ロープ輪状部の係止状態を維持させたまま固定溝９４内にロープを通して磁石体９０をあおり側面に磁着させる。次に、ロープ上端部を手指の形に模した抱持体９１の２本の指の間に強制的に差し込んで仮止めを行なうものである。
【０００５】
しかし、この仮止め具の場合、ロープ他端側を荷台反対側に放り投げた際や積荷に渡したロープを締め付け操作している間にロープが２本の指の間から外れることがある。また、ロープの太さが固定溝のサイズに比べて細い場合には、ロープが下がってロープ係止用突起からロープ輪状部が外れてしまう問題がある。また、この仮止め具の場合は磁石を用いているため、アルミ製のあおりには使用できない問題もある。
【特許文献１】実公平０６−７００１号公報
【発明の開示】
【発明が解決しようとする課題】
【０００６】
本発明は、従来技術のこうした問題点を解決するためになされたもので、その課題はトラックに積載した荷物にロープを掛けて荷締めする際に、ロープフックに引っ掛けたロープ輪状部がロープフックから外れないように確実に仮止めしておくことのできるロープ仮止め具を提供することにある。
【課題を解決するための手段】
【０００７】
前記課題を解決するための請求項１に記載の発明は、その手段を後述する実施形態の参照符号を付して示すと、トラックの荷台側縁下部に設けられたロープフック８に掛けたロープ輪状部２５がロープフック８から外れないようにロープ３０をあおり２０に仮止めしておくロープ仮止め具１であって、ロープフック８に掛けたロープ輪状部２５を下側から支持した状態でロープフック８に掛けられる穴付き支持片５と、該穴付き支持片５を紐６で吊り下げた状態であおりに磁石１２で仮止めされる仮止め具４とからなり、該仮止め具４は片面に把手２を取り付けた板状体１０と、磁石１２を内包する２式の直方体状の磁石保持体１３とからなり、磁石保持体１３は板状体１０における把手２とは反対面にロープ３０を通す間隔を隔てて平行に取り付けてあり、前記紐６の仮止め具側端が前記把手２又は板状体１０に固定してあることを特徴とするロープ仮止め具１である。
【０００８】
ロープ輪状部をロープフックに掛けてから本構成の穴付き支持片を下方からロープフックに嵌め、ロープ輪状部を下方から支持する。その状態で仮止め具を紐が伸びきった状態にし、２式の磁石保持体の間にロープを通した状態であおり側面に磁着させる。穴付き支持片は紐が伸びきった状態で仮止め具から吊り下げられた状態になるため穴付き支持片がロープフックから外れることはない。従って、その穴付き支持片により下方から支持されたロープ輪状部はロープフックから外れることがない。この状態でロープの他端側をトラックの反対側に放り投げる等して渡せば、作業者がロープから手を離してもロープ輪状部がロープフックから外れることはない。従って、作業者は安心してトラック反対側に回って荷締めを行なうことができる。
【０００９】
また、請求項２に記載の発明は、請求項１に記載のロープ仮止め具１において、前記板状体１０における２式の磁石保持体１３の間には、その間に通したロープ３０をあおり２０に押し付けるためのばね４４で付勢された押し付け板４０が更に取り付けてあることを特徴とするロープ仮止め具１ａである。
【００１０】
ロープ仮止め具をあおりに仮止めした状態では、押し付け板はばねによる付勢力により２式の磁石保持体間に通されたロープをあおりに押し付ける。従ってロープが細い場合、あるいはロープの代わりに厚みの小さいラッシングベルトを使用した場合でもそれらを確実にあおりに押し付け係止させることができ、ロープ輪状部に近いロープ下端部が下に垂れるのを防止することができる。
【００１１】
また、請求項３に記載の発明は、請求項１又は２に記載のロープ仮止め具１、１ａにおいて、前記板状体１０には、該板状体１０をあおり２０に仮止めした状態で上部となる端面部に二股状フック５０が水平軸周りに傾動可能に取り付けてあることを特徴とするロープ仮止め具１ｂである。
【００１２】
このような構成によれば、あおりがアルミ板等の非磁性体で製作されていて磁石で仮止めできない場合には、二股状フックをあおりの上端部に引っ掛けて係止させることができる。これによりロープも仮止めされてロープ輪状部がロープフックから外れることが防止される。
【００１３】
また、請求項４に記載の発明は、請求項１乃至３の何れかに記載のロープ仮止め具１、１ａ、１ｂにおいて、前記紐６として弾性を有する紐又はコイルばねを使用したことを特徴とするロープ仮止め具である。
【００１４】
あおりの上端部に二股状フックを引っ掛けて仮止めする場合と、あおりの側面に磁着させて仮止めする場合とでは仮止め具と穴付き支持片を繋ぐ紐に要求される長さが異なる。本構成によれば紐を交換することなく、一つの弾性紐又はばねで両者に対処できる。
【発明を実施するための最良の形態】
【００１５】
以下、本発明に係るロープ仮止め具の構成例を実施形態に分けて説明する。
（第１の実施形態）
図１は第１の実施形態に係るロープ仮止め具１を把手２側からみた斜視図、図２はその反対面側からみた斜視図である。ロープ仮止め具１は仮止め具４と、穴付き支持片５と、その二つを繋ぐ紐６とにより構成されている。
【００１６】
穴付き支持片５は、トラックの荷台側縁下部に設けられたロープフック８を通す穴９を中央部に設けた金属板片である。仮止め具４は、片面に把手２を取り付けた略矩形状の板状体１０と、磁石１２を内包する２式の直方体状の磁石保持体１３とから構成されている。
【００１７】
２式の直方体状の磁石保持体１３は板状体１０における把手２の取り付け面とは反対側の面に、仮止め具４をあおり２０に仮止めした状態で長手方向が上下方向に向かう姿勢で互いに平行に取り付けてある。平行間隔は、その間に荷締め用ロープ３０を通すことのできる間隔にしてある。仮止め具４と穴付き支持片５とは紐６により繋がれており、紐６の仮止め具側端は上下方向に取り付けた把手２の下部に固定してある。把手２に固定する代わりに板状体１０に固定してもよい。
【００１８】
図３は、ロープ仮止め具１の使用状態を説明する図である。トラックの荷台板２１は、その周囲を鋼製のコ字状チャネル部材２２の一側面で支持されている。同じ側面には、あおり２０が蝶番２３により傾動可能に取り付けてある。トラックの荷台側縁下部となるチャネル部材２２の反対側側面には、荷締め用ロープ３０のロープ輪状部２５を引っ掛けるためのロープフック８が下方に突出する形で取り付けてある。
【００１９】
本実施形態のロープ仮止め具１を使用して積荷にロープ掛けを行なう際は、最初にロープ３０の一端に設けられたロープ輪状部２５をロープフック８に掛ける。次に、ロープ仮止め具１の穴付き支持片５を下方からロープフック８に嵌め、ロープ輪状部２５を下方から支持させる。その状態で仮止め具４を、紐６が伸びきった状態にして鋼製のあおり２０の側面に磁着させる。磁着の際、２式の磁石保持体１３の間にロープ３０を通しておく。
【００２０】
穴付き支持片５は紐６が伸びきった状態で仮止め具４に吊り下げられた状態になるため、穴付き支持片５がロープフック８から外れることはない。従って、穴付き支持片５により下方から支持されたロープ輪状部２５もロープフック８から外れることがない。この状態でロープ３０の他端側をトラックの反対側に放り投げる等して渡せば、作業者がロープ３０から手を離してもロープ輪状部２５がロープフック８から外れることはない。従って、作業者は安心してトラック反対側に回って荷締め作業を行なうことができる。荷締めしてロープ３０を固定した後は、仮止めしたロープ仮止め具１はあおりから取り外す。
【００２１】
このようにあおり２０が鋼製である場合は、本実施形態のロープ仮止め具１を使用することでロープ輪状部２５がロープフック８から外れることを防止できる。従って、作業者は安心してロープ掛け作業を行なうことができる。
【００２２】
（第２の実施形態）
図４は、第２の実施形態に係るロープ仮止め具１ａを磁石保持体１３の取り付け面側からみた斜視図である。図５は、図４中のＡ−Ａ線に沿った仮止め具４ａの縦断面である。本実施形態のロープ仮止め具１ａは、第１の実施形態に係るロープ仮止め具１の仮止め具４に、ロープ３０をあおり２０に押し付けるための押し付け板４０を追加取り付けしたものである。
【００２３】
押し付け板４０は略四角形の板状で２式の磁石保持体１３の間に取り付けてあり、押し付け板４０の背面四隅にはガイドピン４１が立設取り付けしてある。ガイドピン４１は板状体１０に設けたガイド孔４２を通って先端が把手２側に突出しており、その先端には抜け防止の頭部４３が設けてある。押し付け板４０と板状体１０間のガイドピン４１周りにはコイルばね４４が縮設してある。押し付け板４０は、そのコイルばね４４により板状体１０から離れる方向に付勢されている。
【００２４】
ロープ仮止め具１ａをあおり２０に仮止めした状態では、押し付け板４０はコイルばね４４による付勢力により２式の磁石保持体１３間に通されたロープ３０をあおり２０に押し付ける。従って、ロープ３０が細い場合、あるいはロープの代わりに厚さの薄いラッシングベルトを使用した場合でもそれらを確実にあおり２０に押し付け係止させることができ、ロープ輪状部２５に近いロープ下端部が下に垂れるのを防止することができる。
【００２５】
（第３の実施形態）
図６は、第３の実施形態に係るロープ仮止め具１ｂを磁石保持体１３の取り付け面側からみた斜視図である。本実施形態のロープ仮止め具１ｂは、第１の実施形態に係るロープ仮止め具１の仮止め具４の上部端面部に二股状フック５０を水平軸周りに傾動可能に蝶番５１にて取り付けたものである。第１の実施形態に係るロープ仮止め具１の仮止め具４は磁石１２によりあおり２０に仮止めする構成を採用している。従って、あおり２０がアルミ板等の非磁性体で製作されている場合には仮止めすることができない。
【００２６】
本実施形態のロープ仮止め具１ｂは、あおり２０がアルミ板等の非磁性体で製作されていて磁石１２で仮止めできない場合に、仮止め具４をあおり２０の上端部に引っ掛けて係止できるようにしたものである。そのための二股状フック５０が仮止め具４の上部端面部に水平軸周りに傾動可能に蝶番５１にて取り付けてある。
【００２７】
図７は、ロープ仮止め具１ｂをあおり２０の上端部に引っ掛けて仮止めした状態を示している。ロープ３０は、二股状フック５０の二股の間に通してある。図８は、あおり２０が鋼板製で磁着可能な場合に磁石１２で仮止めした状態を示している。二股状フック５０は、後ろ側に倒しておく。なお、仮止め具４には、図４に示した押し付け板４０付きの仮止め具４ａを使用してもよい。また、あおり２０の上端部に引っ掛けて仮止めする場合と、あおり２０の側面に磁着させて仮止めする場合とでは仮止め具４と穴付き支持片５を繋ぐ紐６に要求される長さが異なるため、紐６として弾性を有する紐を使用するかコイルばねを使用するとよい。
【００２８】
本構成のロープ仮止め具１ｂは、一つの弾性紐又はばねで鋼板製とアルミ製の両者のあおりに対処できる利点を有する。
【図面の簡単な説明】
【００２９】
【図１】第１の実施形態に係るロープ仮止め具の把手側の斜視図である。
【図２】第１の実施形態に係るロープ仮止め具の磁石保持体側の斜視図である。
【図３】第１の実施形態に係るロープ仮止め具の使用状態を説明する図である。
【図４】第２の実施形態に係るロープ仮止め具の磁石保持体側の斜視図である。
【図５】図４中のＡ−Ａ線に沿った仮止め具の縦断面である。
【図６】第３の実施形態に係るロープ仮止め具の磁石保持体側の斜視図である。
【図７】第３の実施形態に係るロープ仮止め具をあおりの上端部に引っ掛けて仮止めした状態の図である。
【図８】第３の実施形態に係るロープ仮止め具をあおりに磁着させて仮止めした状態の図である。
【図９】従来のロープ仮止め具の一例である。
【符号の説明】
【００３０】
図面中、１、１ａ、１ｂはロープ仮止め具、２は把手、４、４ａは仮止め具、５は穴付き支持片、６は紐、８はロープフック、１０は板状体、１２は磁石、１３は磁石保持体、２０はあおり、２５はロープ輪状部、３０はロープ、４０は押し付け板、４４はコイルばね、５０は二股状フック、５１は蝶番を示す。
【図１】
2011102045.tif 000003
【図２】
2011102045.tif 000004
【図３】
2011102045.tif 000005
【図４】
2011102045.tif 000006
【図５】
2011102045.tif 000007
【図６】
2011102045.tif 000008
【図７】
2011102045.tif 000009
【図８】
2011102045.tif 000010
【図９】
2011102045.tif 000011
【手続補正書】
【提出日】平成20年9月14日(2008.9.14)
【手続補正１】
【補正対象書類名】特許請求の範囲
【補正対象項目名】全文
【補正方法】変更
【補正の内容】
【特許請求の範囲】
【請求項１】
トラックの荷台側縁下部に設けられたロープフックに掛けたロープ輪状部がロープフックから外れないようにロープをあおりに仮止めしておくロープ仮止め具であって、
ロープフックに掛けた前記ロープ輪状部を下側から支持した状態でロープフックに掛けられる穴付き支持片と、該穴付き支持片を紐で吊り下げた状態であおりに磁石で仮止めされる仮止め具と、二股状フックとからなり、
前記仮止め具は片面に把手を取り付けた板状体と、磁石を内包する２式の直方体状の磁石保持体とからなり、該磁石保持体は前記板状体における前記把手とは反対面に前記ロープを通す間隔を隔てて平行に取り付けてあり、前記紐の仮止め具側端が前記把手又は板状体に固定してあり、
前記二股状フックは前記板状体をあおりに仮止めした状態で上部となる端面部に水平軸周りに傾動可能に取り付けてあることを特徴とするロープ仮止め具。
【請求項２】
請求項１に記載のロープ仮止め具において、前記板状体における２式の磁石保持体の間には、その間に通したロープをあおりに押し付けるためのばねで付勢された押し付け板が更に取り付けてあることを特徴とするロープ仮止め具。
【請求項３】
請求項１又は２に記載のロープ仮止め具において、前記紐として弾性を有する紐又はコイルばねが使用してあることを特徴とするロープ仮止め具。
【手続補正２】
【補正対象書類名】明細書
【補正対象項目名】０００７
【補正方法】変更
【補正の内容】
【０００７】
前記課題を解決するための請求項１に記載の発明は、その手段を後述する実施形態の参照符号を付して示すと、トラックの荷台側縁下部に設けられたロープフック８に掛けたロープ輪状部２５がロープフック８から外れないようにロープ３０をあおり２０に仮止めしておくロープ仮止め具１であって、ロープフック８に掛けたロープ輪状部２５を下側から支持した状態でロープフック８に掛けられる穴付き支持片５と、該穴付き支持片５を紐６で吊り下げた状態であおりに磁石１２で仮止めされる仮止め具４と、二股状フック５０とからなり、該仮止め具４は片面に把手２を取り付けた板状体１０と、磁石１２を内包する２式の直方体状の磁石保持体１３とからなり、磁石保持体１３は板状体１０における把手２とは反対面にロープ３０を通す間隔を隔てて平行に取り付けてあり、前記紐６の仮止め具側端が前記把手２又は板状体１０に固定してあり、前記二股状フック５０は前記板状体１０をあおり２０に仮止めした状態で上部となる端面部に水平軸周りに傾動可能に取り付けてあることを特徴とするロープ仮止め具１である。
【手続補正３】
【補正対象書類名】明細書
【補正対象項目名】０００８
【補正方法】変更
【補正の内容】
【０００８】
ロープ輪状部をロープフックに掛けてから本構成の穴付き支持片を下方からロープフックに嵌め、ロープ輪状部を下方から支持する。その状態で仮止め具を紐が伸びきった状態にし、２式の磁石保持体の間にロープを通した状態であおり側面に磁着させる。穴付き支持片は紐が伸びきった状態で仮止め具から吊り下げられた状態になるため穴付き支持片がロープフックから外れることはない。従って、その穴付き支持片により下方から支持されたロープ輪状部はロープフックから外れることがない。この状態でロープの他端側をトラックの反対側に放り投げる等して渡せば、作業者がロープから手を離してもロープ輪状部がロープフックから外れることはない。従って、作業者は安心してトラック反対側に回って荷締めを行なうことができる。あおりがアルミ板等の非磁性体で製作されていて磁石で仮止めできない場合には、二股状フックをあおりの上端部に引っ掛けて係止させることができる。これによりロープも仮止めされてロープ輪状部がロープフックから外れることが防止される。
【手続補正４】
【補正対象書類名】明細書
【補正対象項目名】００１０
【補正方法】変更
【補正の内容】
【００１０】
ロープ仮止め具を磁性体で製作されたあおりに仮止めした状態では、押し付け板はばねによる付勢力により２式の磁石保持体間に通されたロープをあおりに押し付ける。従ってロープが細い場合、あるいはロープの代わりに厚みの小さいラッシングベルトを使用した場合でもそれらを確実にあおりに押し付け係止させることができ、ロープ輪状部に近いロープ下端部が下に垂れるのを防止することができる。
【手続補正５】
【補正対象書類名】明細書
【補正対象項目名】００１１
【補正方法】変更
【補正の内容】
【００１１】
また、請求項３に記載の発明は、請求項１又は２に記載のロープ仮止め具１、１ａにおいて、前記紐６として弾性を有する紐又はコイルばねが使用してあることを特徴とするロープ仮止め具である。
【手続補正６】
【補正対象書類名】明細書
【補正対象項目名】００１２
【補正方法】変更
【補正の内容】
【００１２】
あおりの上端部に二股状フックを引っ掛けて仮止めする場合と、あおりの側面に磁着させて仮止めする場合とでは仮止め具と穴付き支持片を繋ぐ紐に要求される長さが異なる。本構成によれば紐を交換することなく、一つの弾性紐又はばねで両者に対処できる。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】